(57)【特許請求の範囲】
【請求項１】
コモン接点と複数の個別接点からなる固定接点を有する接点基板と、三つの接触点を有する接触片の各接触点が均等な接触圧で接点基板に弾接するように接触片を保持するロータからなり、通常状態において、接触片の第一の接触点が固定接点のコモン接点に接触し、第二および第三の接触点の一方は第一の個別接点に接触しているが他方の接触点はいずれの接点にも接触せず、ロータを回転切替えすることにより、第一の接触点はコモン接点に接触したままであるが、第二および第三の接触点の一方が第二の個別接点に接触し、他方の接触点はいずれの接点にも接触せず、さらに通常状態またはロータを回転切替えした状態においてロータを接点基板と平行にプッシュ操作すると、第一の接触点はコモン接点に、第二および第三の接触点の一方は第一または第二の個別接点にそれぞれ接触したままであるが、いずれの接点にも接触していなかった他方の接触点が第三の個別接点に接触するように構成された二ポジション型のプッシュスイッチ付ロータリー型ポジションスイッチ。
【請求項２】
コモン接点と複数の個別接点からなる固定接点を有する接点基板と、三つの接触点を有する接触片の各接触点が均等な接触圧で接点基板に弾接するように接触片を保持するロータからなり、通常状態において、接触片の第一の接触点が固定接点のコモン接点に接触し、第二および第三の接触点の一方は第一の個別接点に接触しているが他方の接触点はいずれの接点にも接触せず、ロータの第一ステップの回転切替えで、第一の接触点はコモン接点に接触したままであるが、第二および第三の接触点の一方が第二の個別接点に接触し、他方の接触点はいずれの接点にも接触せず、ロータの第二ステップの回転切替えで、第一の接触点はコモン接点に接触したままであるが、第二および第三の接触点の一方が第三の個別接点に接触し他方の接触点は何れの接点にも接触せず、さらに通常状態またはロータを各ステップに回転切替えした状態においてロータを接点基板と平行にプッシュ操作すると、第一の接触点はコモン接点に、第二および第三の接触点の一方は第一、第二または第三の個別接点にそれぞれ接触したままであるが、いずれの接点にも接触していなかった他方の接触点が第四の個別接点に接触するように構成された三ポジション型のプッシュスイッチ付ロータリー型ポジションスイッチ。
【請求項３】
内面が固定接点を有する接点基板となった板状の第一外ケースに、節度ばねに付勢された節度ピンを内面に備えた板状の第二外ケースを組合わせて形成された箱形の外装ケースと、接点基板面と平行に上下動できるように外装ケース内に収容された片面開放の箱形で、ばねにより上方へ押し上げられるように付勢された可動体と、可動体壁面に回動可能に保持された略円板形で、第二外ケースと対向する側に節度ピンと係合して回転切替え位置を定める節度用凹凸部を有すると共に、第一外ケースに対向する側に接点基板に弾接する接触片を保持し、上端部が外装ケースから突出したロータからなる請求項１または２記載のプッシュスイッチ付ロータリー型ポジションスイッチ。
【請求項４】
ロータ外周の薄肉弾性部を可動体開口部端面の複数個の爪部にスナップ係合させると共に、ロータ中心の円形突部を可動体底面部中心の孔に嵌合させて、ロータを可動体壁面により回動可能に保持させるようにした請求項３記載のプッシュスイッチ付ロータリー型ポジションスイッチ。
【請求項５】
抜け止め片を有するロータ中心の円形突部を可動体壁面中心の上記抜け止め片と同形状の孔に挿入して所定角度捻ることにより、ロータを可動体壁面により回動可能に保持させるようにした請求項３記載のプッシュスイッチ付ロータリー型ポジションスイッチ。
【請求項６】
第二外ケースに備えた節度ピンを先端が球形の棒状とし、これに対応するロータの節度用凹凸部を、ロータの回転方向の動きに対応する円周方向の凹凸部に加え、可動体の下方向への動きに対応して、半径方向にも円周方向の凹凸部と同等またはこれよりも高い段部を設けた構成とした請求項３〜５のいずれか一つに記載のプッシュスイッチ付ロータリー型ポジションスイッチ。
【発明の詳細な説明】
【０００１】
【発明の属する技術分野】
本発明は、主として電子機器の操作パネルに組み込まれ、操作つまみの回転操作およびプッシュ操作により信号を発生するプッシュスイッチ付ロータリー型ポジションスイッチに関するものである。
【０００２】
【従来の技術】
従来のこの種のプッシュスイッチ付スイッチを図８〜図１１を用いて説明する。
【０００３】
図８は従来のプッシュスイッチ付ロータリー型ポジションスイッチの断面図、図９は同分解斜視図であり、同図において、１は樹脂からなる第一外ケース、２は同第二外ケースで、第一外ケース１の内面にはロータリースイッチ部の端子３Ａ付きの固定接点３がインサート成形により固定されると共に、プッシュスイッチ単体４を取り付けるための保持部５が一体に設けられており、第二外ケース２は、その側方の係合用孔２Ａに第一外ケース１側方の係合用爪１Ａを係合させることによって第一外ケース１と組合わされて本スイッチの外装ケースを形成し、この中には、第一中ケース６Ａと第二中ケース６Ｂを外装ケースと同様に組合わせた可動ケース６が上下動可能に収容され、その下方に当接するように保持部５に取り付けられたプッシュスイッチ単体４のばね（図示せず）による付勢力によって上方に押し上げられている。
【０００４】
そして、可動ケース６の中には操作ノブを兼ねたロータリースイッチ部用の略円板形のロータ７が回転可能に保持され、このロータ７の一方の面には節度ばね８に付勢された節度ピン９が保持されて第二中ケース６Ｂ内面の節度用凹凸部１０に弾接すると共に、ロータ７の他方の面に保持され、接触ばね１１に付勢された接触片１２の二つの接触点が第一中ケース６Ａの貫通孔６Ｃを通って第一外ケース１内面の固定接点３に弾接している。
【０００５】
以上のように構成された従来のプッシュスイッチ付ロータリー型ポジションスイッチの動作は、図８において、外装ケースから上方に突出したロータ７の上端部を接線方向に押してロータ７を回転させることによって、ロータ７に保持されたロータリースイッチ用の節度ピン９が節度用凹凸部１０の凹部から凸部を越えて次の凹部へと、節度感を伴って動くのに伴い、その反対面に保持された接触片１２の二つの接触点が、図１０に示す固定接点３のパターンの中で、例えば、コモン接点３Ｂと個別接点３Ｃとの接触からコモン接点３Ｂと個別接点３Ｄとの接触へと動くものであり、また、ロータ７の上端部を下方へ押すことによって可動ケース６が下方に動き、第二中ケース６Ｂ下端の突部６Ｄがプッシュスイッチ単体４を動作させて、その信号を夫々の端子３Ａ，４Ａを通して外部に伝達するものであった。
【０００６】
なお、このプッシュスイッチ単体４を動作させるために可動ケース６が下方に動く際に図１０に黒丸と白丸で示すように接触片１２も固定接点３上を下方に動くが、固定接点３のパターンはいずれの接点も下方への余裕を大きくとってあるので、接触状態が変わることはない。
【０００７】
従来のプッシュスイッチ付ロータリー型ポジションスイッチは以上のように構成されるものであり、スイッチの接点回路は、図１１のロータリースイッチ部が三ポジション型である場合のスイッチ回路図に示すように、ロータリースイッチ部とプッシュスイッチ部が互いに独立したものであり、電子機器に組込む際にはプッシュスイッチ部の端子４Ａの一つとロータリースイッチ部のコモン接点３Ｂの端子を短絡してコモン端子として使用されるのが通常であった。
【０００８】
【発明が解決しようとする課題】
しかしながら、上記従来の構成のプッシュスイッチ付ロータリー型ポジションスイッチでは、ロータリースイッチ部とプッシュスイッチ部が機構的にも電気的にも独立した構成となっているため、構成部品点数が多く大型であると共に、コスト高であるという課題があった。
【０００９】
本発明はこのような従来の課題を解決するものであり、構成部品点数が少なく、小型化ができてコストダウンの可能なプッシュスイッチ付ロータリー型ポジションスイッチを提供することを目的とするものである。
【００１０】
【課題を解決するための手段】
上記課題を解決するために本発明のプッシュスイッチ付ロータリー型ポジションスイッチは、電子機器での使用状態も考慮し、ロータリースイッチ部とプッシュスイッチ部の同じ機能の部品を、接点部を中心として共用化させて少なくするように構成したものである。
【００１１】
この本発明により、小型で低コストのプッシュスイッチ付ロータリー型ポジションスイッチを実現することができる。
【００１２】
【発明の実施の形態】
本発明の請求項１に記載の発明は、コモン接点と複数の個別接点からなる固定接点を有する接点基板と、三つの接触点を有する接触片の各接触点が均等な接触圧で接点基板に弾接するように接触片を保持するロータからなり、通常状態において、接触片の第一の接触点が固定接点のコモン接点に接触し、第二および第三の接触点の一方は第一の個別接点に接触しているが他方の接触点はいずれの接点にも接触せず、ロータを回転切替えすることにより、第一の接触点はコモン接点に接触したままであるが、第二および第三の接触点の一方が第二の個別接点に接触し、他方の接触点はいずれの接点にも接触せず、さらに通常状態またはロータを回転切替えした状態においてロータを接点基板と平行にプッシュ操作すると、第一の接触点はコモン接点に、第二および第三の接触点の一方は第一または第二の個別接点にそれぞれ接触したままであるが、いずれの接点にも接触していなかった他方の接触点が第三の個別接点に接触する構成としたものであり、プッシュスイッチ部とロータリースイッチ部を機構的・電気的に共用化させて構成部品点数を少なくした二ポジション型のプッシュスイッチ付ロータリー型ポジションスイッチを実現することができるという作用を有する。
【００１３】
請求項２に記載の発明は、コモン接点と複数の個別接点からなる固定接点を有する接点基板と、三つの接触点を有する接触片の各接触点が均等な接触圧で接点基板に弾接するように接触片を保持するロータからなり、通常状態において、接触片の第一の接触点が固定接点のコモン接点に接触し、第二および第三の接触点の一方は第一の個別接点に接触しているが他方の接触点はいずれの接点にも接触せず、ロータの第一ステップの回転切替えで、第一の接触点はコモン接点に接触したままであるが、第二および第三の接触点の一方が第二の個別接点に接触し、他方の接触点はいずれの接点にも接触せず、ロータの第二ステップの回転切替えで、第一の接触点はコモン接点に接触したままであるが、第二および第三の接触点の一方が第三の個別接点に接触し他方の接触点は何れの接点にも接触せず、さらに通常状態またはロータを各ステップに回転切替えした状態においてロータを接点基板と平行にプッシュ操作すると、第一の接触点はコモン接点に、第二および第三の接触点の一方は第一、第二または第三の個別接点にそれぞれ接触したままであるが、いずれの接点にも接触していなかった他方の接触点が第四の個別接点に接触する構成としたものであり、プッシュスイッチ部とロータリースイッチ部を機構的・電気的に共用化されて構成部品点数を少なくした三ポジション型のプッシュスイッチ付ロータリー型ポジションスイッチを実現することができるという作用を有する。
【００１４】
請求項３に記載の発明は、請求項１または２に記載の発明において、内面が固定接点を有する接点基板となった板状の第一外ケースに、節度ばねに付勢された節度ピンを内面に備えた板状の第二外ケースを組合わせて形成された箱形の外装ケースと、接点基板面と平行に上下動できるように外装ケース内に収容された片面開放の箱形で、ばねにより上方へ押し上げられるように付勢された可動体と、可動体壁面に回動可能に保持された略円板形で、第二外ケースと対向する側に節度ピンと係合して回転切替え位置を定める節度用凹凸部を有すると共に、第一外ケースに対向する側に接点基板に弾接する接触片を保持し、上端部が外装ケースから突出したロータからなるようにした構成のものであり、請求項１または２記載の発明による作用に加えて、ロータリースイッチ部を節度感を伴って確実に回転切替え操作をすることができるという作用を有する。
【００１５】
請求項４に記載の発明は、請求項３に記載の発明において、ロータ外周の薄肉弾性部を可動体開口部端面の複数個の爪部にスナップ係合させると共に、ロータ中心の円形突部を可動体底面部中心の孔に嵌合させて、ロータを可動体壁面により回動可能に保持させた構成のものであり、ロータと可動体を簡単・確実に、しかも傾きなく結合することができるという作用を有する。
【００１６】
請求項５に記載の発明は、請求項３に記載の発明において、抜け止め片を有するロータ中心の円形突部を可動体壁面中心の上記抜け止め片と同形状の孔に挿入して所定角度捻ることにより、ロータを可動体壁面により回動可能に保持させた構成のものであり、ロータと可動体を簡単・確実に結合することができて、ロータを軽い力で回転切替え操作することができるいう作用を有する。
【００１７】
請求項６に記載の発明は、請求項３〜５のいずれか一つに記載の発明において、第二外ケースに備えた節度ピンを先端が球形の棒状とし、これに対応するロータの節度用凹凸部を、ロータの回転方向の動きに対応する円周方向の凹凸部に加え、可動体の下方向への動きに対応して、半径方向にも円周方向の凹凸部と同等またはこれよりも高い段部を設けた構成としたものであり、この節度ピンと節度用凹凸部の組合せによって、ロータの回転切替え操作時とプッシュ操作時に節度感を発生することができるという作用を有する。
【００１８】
以下、本発明の実施の形態について、図１〜図７を用いて説明する。
（実施の形態１）
図１は本発明の第１の実施の形態による三ポジション型のプッシュスイッチ付ロータリー型ポジションスイッチの断面図、図２は同分解斜視図であり、同図において、２１は樹脂からなる箱形の第一外ケース、２２はこれと組合わされる箱形の第二外ケースで、第一外ケース２１の内面は、端子２３付きの固定接点２４が、図３のパターン図に示すように、コモン接点２４Ａの周辺に第一〜第四の個別接点２４Ｂ〜２４Ｅを配してインサート成形により固定された接点基板であると共に、第二外ケース２２の内面には、先端が球形の棒状の節度ピン２５が節度ばね２６に付勢されて保持されており、従来の技術の場合と同様に、第二外ケース２２側方の係合用孔２２Ａに第一外ケース２１側方の係合用爪２１Ａを係合させることにより両者が組合わされて、本スイッチの外装ケースを形成している。
【００１９】
そして、外装ケースの中には、樹脂からなる片面開放の箱形の可動体２７が接点基板である第一外ケース２１内面と平行に上下動できるように収容され、その下面と外装ケースの間に装着されたコイルばね２８によって上方へ押し上げられている。
【００２０】
さらに、可動体２７の凹部内には、樹脂からなる略円板形のロータ２９が、その片面中心の円形突部２９Ａを凹部の壁面２７Ａ中心の孔２７Ｂに嵌合させることによって回動可能に保持され、その反対面外周を可動体２７開口部端面の複数個の爪部２７Ｃにより押さえられて抜け止めされている。
【００２１】
このロータ２９を可動体２７の凹部内に収容・装着する方法は、ロータ２９外周の薄肉弾性部２９Ｂを可動体２７開口部端面の上記複数個の爪部２７Ｃと位置を合わせて外側のテーパ部に沿って圧入してスナップ結合させると共に、ロータ２９中心の上記円形突部２９Ａを可動体２７の壁面２７Ａ中心の孔２７Ｂに嵌合させるものである。
【００２２】
そして、上記のように組合わされたロータ２９の片面には、上記外装ケースの第二外ケース２２内面に保持された先端が球形の棒状の節度ピン２５に対応する節度用凹凸部３０が設けられているが、この節度用凹凸部３０は、図１および図４の拡大斜視図に示すように、円周方向の凹凸部３０Ａと半径方向の段部３０Ｂからなっており、可動体２７がコイルばね２８に押し上げられた通常の状態において、節度ピン２５は円周方向の凹凸部３０Ａの凹部内にはまり込んで弾接している。
【００２３】
また、ロータ２９の反対面には、上記外装ケースの第一外ケース２１内面である接点基板面の固定接点２４に弾接する接触片３１が保持されているが、この接触片３１は、図３に黒丸で示すように、三つの接触点３１Ａ，３１Ｂ，３１Ｃが均等な接触圧で弾接するように接触ばね３２によって付勢されている。
【００２４】
以上のように構成された本実施の形態による三ポジション型のプッシュスイッチ付ロータリー型ポジションスイッチの動作は、図１において、外装ケースから上方に突出したロータ２９の上端部を接線方向に押してロータ２９を回転させることによって、節度ピン２５が、節度用凹凸部３０の円周方向の凹凸部３０Ａの、それまで弾接していた凹部から凸部を越えて次の凹部へと節度感を伴って移動し、これに伴って、ロータ２９の反対面に保持された接触片３１の三つの接触点３１Ａ，３１Ｂ，３１Ｃが、図５のスイッチ接点の回転操作時の接触状態を示すパターン図において、同図（ａ）の通常状態から同図（ｂ）の第一ステップ、同図（ｃ）の第二ステップへと順次移行する。
【００２５】
すなわち、図５（ａ）に示す、接触片３１の第一接触点３１Ａは固定接点２４のコモン接点２４Ａに、第二接触点３１Ｂは第一の個別接点２４Ｂに夫々接触し、第三接触点３１Ｃはいずれの接点にも接触しない状態から、同図（ｂ）に示す、第一接触点３１Ａはコモン接点２４Ａに接触したままであるが、第二接触点３１Ｂは第二の個別接点２４Ｃと接触し、第三接触点３１Ｃはいずれの接点にも接触しないままの状態へと移行し、さらに同図（ｃ）に示す、第一接触点３１Ａはコモン接点２４Ａに接触したままであるが、第二接触点３１Ｂはいずれの接点にも接触せず、第三接触点３１Ｃが第三の個別接点２４Ｄに接触する状態へと移行し、その信号を端子２３を通して外部へ伝達する。
【００２６】
次に、上記の通常状態またはロータ２９を各ステップに回転切替えした状態において、ロータ２９の上端部をコイルばね２８の力に抗して下方へ押し、ロータ２９を接点基板と平行に下方へ動かすと、節度ピン２５は節度用凹凸部３０の半径方向の段部３０Ｂに節度感を伴って乗り上げ、これに伴って接触片３１の三つの接触点３１Ａ，３１Ｂ，３１Ｃが、図５（ａ）〜（ｃ）に白丸で示すように、夫々下方に動く。
【００２７】
この時、第一接触点３１Ａはコモン接点２４Ａに、通常状態の第二接触点３１Ｂは第一の個別接点２４Ｂに、第一ステップの第二接触点３１Ｂは第二の個別接点２４Ｃに、また第二ステップの第三接触点３１Ｃは第三の個別接点２４Ｄに夫々接触したままであるが、いずれの接点にも接触していなかった接触点である、通常状態および第一ステップの第三接触点３１Ｃおよび第二ステップの第二接触点３１Ｂは第四の個別接点２４Ｅに接触して、その信号を端子２３を通して外部に伝達するものである。
【００２８】
なお、上記のロータ２９の節度用凹凸部３０の円周方向の凹凸部３０Ａと半径方向の段部３０Ｂの高さの関係は、ロータ２９の回転操作時にロータ２９が下方に押されてプッシュ操作されないように、半径方向の段部３０Ｂを少し高くしておく方がよいものである。
【００２９】
また、以上の内容は、三ポジション型のプッシュスイッチ付ロータリー型ポジションスイッチを例として説明したが、上記の三ポジションの中の一ポジションを除けば、二ポジション型のプッシュスイッチ付ロータリー型ポジションスイッチとなるので、その説明は省略する。
【００３０】
以上のように、本実施の形態によるプッシュスイッチ付ロータリー型ポジションスイッチは、ロータリースイッチ部とプッシュスイッチ部の同じ機能の部品を接点部および操作時の節度感発生機構部を中心として共用化することにより、構成部品点数を少なくすることができるものである。
【００３１】
（実施の形態２）
図６は本発明の第２の実施の形態によるプッシュスイッチ付ロータリー型ポジションスイッチの断面図であり、上記実施の形態１に対してロータ３３を可動体３４の凹部内に装着する方法が異なっているものである。
【００３２】
すなわち、図７の要部分解斜視図に示すように、ロータ３３中心の抜け止め片３５Ａを先端に備えた円形突部３５を、可動体３４の壁面中心の上記抜け止め片３５Ａと略同形状の孔３４Ａに挿入して所定の角度捻ることにより、ロータ３３を可動体３４に装着・結合するものであり、簡単・確実に結合することができて、ロータ３３を軽い力で回転操作できるものである。
【００３３】
【発明の効果】
以上のように本発明によれば、電子機器での使用状態も考慮し、ロータリースイッチ部とプッシュスイッチ部の同じ機能の部品を、接点部および操作時の節度感発生機構部を中心として共用化して構成部品数を少なくすることにより、小型で低コストのプッシュスイッチ付ロータリー型ポジションスイッチを実現することができるという有利な効果が得られる。
【図面の簡単な説明】
【図１】本発明の第１の実施の形態によるプッシュスイッチ付ロータリー型ポジションスイッチの断面図
【図２】同分解斜視図
【図３】同接点基板のパターン図
【図４】同節度用凹凸部の拡大斜視図
【図５】同回転操作時のスイッチ接点の接触状態を示すパターン図（ａ）通常状態におけるパターン図
（ｂ）第一ステップにおけるパターン図
（ｃ）第二ステップにおけるパターン図
【図６】本発明の第２の実施の形態によるプッシュスイッチ付ロータリー型ポジションスイッチの断面図
【図７】同要部分解斜視図
【図８】従来のプッシュスイッチ付ロータリー型ポジションスイッチの断面図
【図９】同分解斜視図
【図１０】同ロータリースイッチ部の固定接点のパターン図
【図１１】同ロータリースイッチ部が三ポジション型である場合のスイッチ回路図
【符号の説明】
２１  第一外ケース
２１Ａ  係合用爪
２２  第二外ケース
２２Ａ  係合用孔
２３  端子
２４  固定接点
２４Ａ  コモン接点
２４Ｂ  第一個別接点
２４Ｃ  第二個別接点
２４Ｄ  第三個別接点
２４Ｅ  第四個別接点
２５  節度ピン
２６  節度ばね
２７，３４  可動体
２７Ａ  壁面
２７Ｂ  孔
２７Ｃ  爪部
２８  コイルばね
２９，３３  ロータ
２９Ａ，３５  円形突部
２９Ｂ  薄肉弾性部
３０  節度用凹凸部
３０Ａ  凹凸部
３０Ｂ  段部
３１  接触片
３１Ａ，３１Ｂ，３１Ｃ  接触点
３２  接触ばね
３４Ａ  孔
３５Ａ  抜け止め片
【図１】
0003849191.tif 000002
【図２】
0003849191.tif 000003
【図３】
0003849191.tif 000004
【図４】
0003849191.tif 000005
【図５】
0003849191.tif 000006
【図６】
0003849191.tif 000007
【図７】
0003849191.tif 000008
【図８】
0003849191.tif 000009
【図９】
0003849191.tif 000010
【図１０】
0003849191.tif 000011
【図１１】
0003849191.tif 000012